(57)【要約】【課題】転動体に過大な負荷がかかることを防止したレンズ鏡筒を提供する。【解決手段】固定部１６に対して光軸Ａ１と直交する面内で移動可能に支持された振動部１７と、固定部１６及び振動部１７の間に狭持された転動体Ｂと、振動部１７に対して支持軸１７ａ回りに回転可能に支持され、ブレ補正光学系Ｌ３を保持するブレ補正光学系保持部１９と、ブレ補正光学系保持部１９に対して光軸Ａ１方向に相対移動可能に設けられ、ブレ補正光学系保持部１９を退避させる駆動部材４ａとを備えるレンズ鏡筒１を、振動部１７は、駆動部材４ａがブレ補正光学系保持部１９に負荷する光軸方向力によって、固定部１６に対して転動体Ｂを挟持する面間が離間する方向に変位可能に支持され、振動部１７を固定部１６に対して転動体Ｂを加圧する方向に付勢する付勢部２０を備える構成とする。【選択図】図３
2007163961.tif 000002
【特許請求の範囲】
【請求項１】
鏡胴に対して光軸と直交する方向における位置が拘束された固定部と、
前記固定部に対して前記光軸と直交する面内で移動可能に支持された振動部と、
前記固定部及び前記振動部の間に狭持された転動体と、
前記振動部に対して支持軸回りに回転可能に支持されたブレ補正光学系保持部と、
前記ブレ補正光学系保持部に固定され、使用時に前記振動部に追従して変位し、像ブレを低減するとともに、収納時に前記ブレ補正光学系保持部の前記振動部に対する回転によって前記光軸上から退避するブレ補正光学系と、
前記ブレ補正光学系保持部に対して前記光軸方向に相対移動可能に設けられ、前記ブレ補正光学系保持部を退避させる駆動部材と
を備えるレンズ鏡筒において、
前記振動部は、前記駆動部材が前記ブレ補正光学系保持部に負荷する光軸方向力によって、前記固定部に対して前記転動体を挟持する面間が離間する方向に変位可能に支持され、
前記振動部を前記固定部に対して前記転動体を加圧する方向に付勢する付勢部を備えること
を特徴とするレンズ鏡筒。
【請求項２】
請求項１に記載のレンズ鏡筒において、
前記付勢部は、前記振動部及び前記固定部に対してそれぞれ傾斜可能に接続された引張バネであること
を特徴とするレンズ鏡筒。
【請求項３】
請求項１に記載のレンズ鏡筒において、
前記振動部に対して前記固定部とは反対側の面部に設けられ、前記振動部に対して前記光軸と略直交する面内で相対移動可能に装着された加圧力伝達部材を備え、
前記付勢部は、前記加圧力伝達部材を前記固定部側へ押圧すること
を特徴とするレンズ鏡筒。
【請求項４】
請求項１から請求項３までのいずれか１項に記載のレンズ鏡筒において、
前記ブレ補正光学系保持部は、前記振動部に対して光軸方向像側に配置されること
を特徴とするレンズ鏡筒。
【請求項５】
鏡胴に対して光軸と直交する方向における位置が拘束された固定部と、
前記固定部に対して光軸と直交する面内で移動可能に支持された振動部と、
前記固定部及び前記振動部の間に狭持された転動体と、
前記振動部に対して支持軸回りに回転可能に支持されたブレ補正光学系支持部と、
前記ブレ補正光学系保持部に固定され、使用時に前記振動部に追従して変位して像ブレを低減するとともに、収納時に前記ブレ補正光学系保持部の前記振動部に対する回転によって前記光軸上から退避するブレ補正光学系と、
前記ブレ補正光学系保持部に対して前記光軸方向に相対移動可能に設けられ、前記ブレ補正光学系保持部を退避させる駆動部材とを備えるレンズ鏡筒において、
前記ブレ補正光学系保持部は、前記振動部に対して光軸方向像側に配置されること
を特徴とするレンズ鏡筒。
【発明の詳細な説明】
【技術分野】
【０００１】
本発明は、収納時に光軸上から退避するブレ補正光学系を有するレンズ鏡筒に関するものである。
【背景技術】
【０００２】
カメラの撮影用レンズ鏡筒は、その不使用時に光軸方向の寸法を短縮してカメラボディ内に収容するようにしたいわゆる沈胴式のものが知られている。
このような沈胴式のレンズ鏡筒は、収納時の全長をより短縮するため、複数のレンズ群のうち一部のレンズ群を光軸と直交する方向にスライドさせて退避させ、これによって形成された空間部内に他のレンズ群を収容するようにしたものが知られている（例えば、特許文献１参照）。
レンズ群のスライドは、沈胴時にレンズに対して光軸方向に相対移動する駆動部材をレンズの保持部と当接させ、これらの間に形成されたカム機構によって行う。
【０００３】
また、カメラの撮影用レンズ鏡筒は、光学式のブレ補正装置を備えたものが知られている。ブレ補正装置は、光学系に加わった振動を角速度センサ等によって検出し、この振動に応じて複数のレンズ群のうち一部のレンズ群（ブレ補正レンズ群）を光軸と直交する面内で駆動することによって、結像面における像ブレを低減するものである。
このようなレンズ鏡筒は、ブレ補正レンズ群をスライドさせて退避させることが提案されている。
しかし、ブレ補正レンズ群は、このようなシフトを可能とするため、その支持枠が固定枠に対して鋼球等の転動体を挟持した状態で支持されており、上述した駆動部材によってレンズを退避させる場合、駆動部材が支持枠に負荷する力によって転動体を挟持する力が大きくなり、挟持面部に転動体による打痕が形成されてしまう。
【特許文献１】特開２００３−３１５８６１号公報
【発明の開示】
【発明が解決しようとする課題】
【０００４】
本発明の課題は、転動体に過大な負荷がかかることを防止したレンズ鏡筒を提供することである。
【課題を解決するための手段】
【０００５】
本発明は、以下のような解決手段により、前記課題を解決する。
請求項１の発明は、鏡胴に対して光軸と直交する方向における位置が拘束された固定部と、前記固定部に対して前記光軸と直交する面内で移動可能に支持された振動部と、前記固定部及び前記振動部の間に狭持された転動体と、前記振動部に対して支持軸回りに回転可能に支持されたブレ補正光学系保持部と、前記ブレ補正光学系保持部に固定され、使用時に前記振動部に追従して変位し、像ブレを低減するとともに、収納時に前記ブレ補正光学系保持部の前記振動部に対する回転によって前記光軸上から退避するブレ補正光学系と、前記ブレ補正光学系保持部に対して前記光軸方向に相対移動可能に設けられ、前記ブレ補正光学系保持部を退避させる駆動部材とを備えるレンズ鏡筒において、前記振動部は、前記駆動部材が前記ブレ補正光学系保持部に負荷する光軸方向力によって、前記固定部に対して前記転動体を挟持する面間が離間する方向に変位可能に支持され、前記振動部を前記固定部に対して前記転動体を加圧する方向に付勢する付勢部を備えることを特徴とするレンズ鏡筒である。
【０００６】
請求項２の発明は、請求項１に記載のレンズ鏡筒において、前記付勢部は、前記振動部及び前記固定部に対してそれぞれ傾斜可能に接続された引張バネであることを特徴とするレンズ鏡筒である。
請求項３の発明は、請求項１に記載のレンズ鏡筒において、前記振動部に対して前記固定部とは反対側の面部に設けられ、前記振動部に対して前記光軸と略直交する面内で相対移動可能に装着された加圧力伝達部材を備え、前記付勢部は、前記加圧力伝達部材を前記固定部側へ押圧することを特徴とするレンズ鏡筒である。
請求項４の発明は、請求項１から請求項３までのいずれか１項に記載のレンズ鏡筒において、前記ブレ補正光学系保持部は、前記振動部に対して光軸方向像側に配置されることを特徴とするレンズ鏡筒である。
【０００７】
請求項５の発明は、鏡胴に対して光軸と直交する方向における位置が拘束された固定部と、前記固定部に対して光軸と直交する面内で移動可能に支持された振動部と、前記固定部及び前記振動部の間に狭持された転動体と、前記振動部に対して支持軸回りに回転可能に支持されたブレ補正光学系支持部と、前記ブレ補正光学系保持部に固定され、使用時に前記振動部に追従して変位して像ブレを低減するとともに、収納時に前記ブレ補正光学系保持部の前記振動部に対する回転によって前記光軸上から退避するブレ補正光学系と、前記ブレ補正光学系保持部に対して前記光軸方向に相対移動可能に設けられ、前記ブレ補正光学系保持部を退避させる駆動部材とを備えるレンズ鏡筒において、前記ブレ補正光学系保持部は、前記振動部に対して光軸方向像側に配置されることを特徴とするレンズ鏡筒である。
【発明の効果】
【０００８】
本発明によれば、振動部及び固定部は、転動体を挟持する面間が離間する方向に変位可能に支持されるとともに、これらを転動体が加圧される方向に付勢する付勢部を備えているから、駆動部材によって付勢部の付勢力よりも大きい光軸方向の力が負荷された場合には、振動部と固定部とが相対変位して転動体の挟持を解除することによって、転動体に過大な荷重が加わることを防止できる。
【発明を実施するための最良の形態】
【０００９】
本発明は、転動体に過大な負荷がかかることを防止したレンズ鏡筒を提供するという課題を、ブレ補正レンズ群室に駆動部が負荷する光軸方向の荷重に応じて、振動枠が固定枠に対して離間する方向に変位可能にするとともに、この振動枠を固定枠側に引き寄せる付勢バネを設けることによって解決した。
【実施例１】
【００１０】
以下、本発明を適用したレンズ鏡筒の実施例１について説明する。
図１は、実施例１のレンズ鏡筒の撮影状態における断面図であって、図１（ａ）、図１（ｂ）は、それぞれレンズ鏡筒の光軸を含む鉛直面における断面、及び、図１（ａ）のｂ−ｂ部矢視断面を示す図である。
図２は、実施例１のレンズ鏡筒の沈胴状態における断面図であって、図２（ａ）、図２（ｂ）は、それぞれレンズ鏡筒の光軸を含む鉛直面における断面、及び、図２（ａ）のｂ−ｂ部矢視断面を示す図である。
図３は、図１（ｂ）のIII−III部矢視断面図である。
【００１１】
レンズ鏡筒１は、第１レンズ群Ｌ１、第２レンズ群Ｌ２、ブレ補正レンズ群（第３レンズ群）Ｌ３、第４レンズ群Ｌ４、ＣＣＤ２、光学ローパスフィルタ３、ＣＣＤ台４、固定筒５、回転筒６、外側直進筒７、カム筒８、内側直進筒９、第１レンズ群筒１０、第１レンズ群ガイド筒１１、第１レンズ群室１２、第２レンズ群筒１３、第２レンズ群室１４、第３レンズ群筒１５、固定枠１６、振動枠１７、ボイスコイルモータ１８、ブレ補正レンズ群室１９、付勢バネ２０、第４レンズ群室２１、シャッタ絞りユニット２２を備えている。
【００１２】
第１レンズ群Ｌ１、第２レンズ群Ｌ２、ブレ補正レンズ群Ｌ３、第４レンズ群Ｌ４は、協働して４群構成のズームレンズを構成するものであって、光軸Ａ１方向に沿って対物側（被写体側）から順次配列されている。ここで、ブレ補正レンズ群Ｌ３は、他のレンズ群に対して光軸Ａ１と直交する面内でシフト変位することによってこれらのレンズが結像する被写体像の像ブレを低減するものである。
ＣＣＤ２は、上述したズームレンズが結像する被写体像を電気的な信号に変換する固体撮像素子であり、第４レンズ群Ｌ４の射出側に配置されている。
光学ローパスフィルタ（ＬＰＦ）３は、ＣＣＤ２が取得する画像上におけるモアレの発生を防止するものであって、ＣＣＤ２の撮像面部に設けられている。
【００１３】
ＣＣＤ台４は、レンズ鏡筒１の光軸方向像側の端部に設けられた平板状の部材であって、光軸Ａ１に対して略直交して配置されている。ＣＣＤ台４は、その中央部に、ＣＣＤ２及びＬＰＦ３が固定されている。
また、ＣＣＤ台４は、図３に示すように、沈胴時にブレ補正レンズ群室１９をスライドさせる駆動部（連動部）４ａが設けられている。
駆動部４ａは、ＣＣＤ台４の光軸方向対物側の面部から突き出して形成された突起状の部材であって、その先端部には、ブレ補正レンズ群室１９を退避させるカム面部４ｂが形成されている。
【００１４】
固定筒５は、レンズ鏡筒１を構成する各筒体のうち最も外径側に設けられ、ＣＣＤ台４及び図示しないレンズボディに対して固定されている。固定筒５は、内周面部に、回転筒６のカムフォロワピンが挿入されるカム溝が形成されている。
回転筒６は、固定筒５の内径側に挿入される筒体であって、外周面部から突き出して形成されたカムフォロワピンを備えている。
回転筒６は、レンズ鏡筒１の沈胴状態と撮影状態との間の移行、及び、撮影状態におけるテレ側とワイド側との間の移行に伴う駆動時に（以下、単に「レンズ鏡筒１の駆動時」と称する）、固定筒５に対して中心軸回りに回転することによって、固定筒５との間に設けられるカム機構によって、固定筒５に対して光軸Ａ２方向に移動する。
【００１５】
外側直進筒７は、回転筒６の内径側に挿入される筒体であって、固定筒５に対して光軸Ａ１方向に移動可能でありかつ光軸Ａ１回りの回転は拘束された状態で案内（直進案内）されている。
カム筒８は、外側直進筒７の内径側に配置される筒体であって、外周面部に第１レンズ群筒１０を駆動するカム溝が形成され、内周面部に第２レンズ群筒１３及び第３レンズ群筒１５をそれぞれ駆動するカム溝が形成されている。カム筒８は、レンズ鏡筒１の駆動時に図示しないアクチュエータによって中心軸回りに回転駆動されることによって、これらの各レンズ群筒を光軸方向に駆動するものである。
内側直進筒９は、カム筒８の内径側に挿入されるとともに、外側直進筒７とその光軸方向像側の端部において接続され、第２レンズ群筒１３及び第３レンズ群筒１５をそれぞれ光軸Ａ１方向に直進案内するものである。
【００１６】
第１レンズ群筒１０は、第１レンズ群Ｌ１が装着され、撮影時においてレンズ鏡筒１の最も対物側に配置される筒体であって、外側直進筒７の内径側でありかつカム筒８の外径側に配置されている。第１レンズ群筒１０は、その内周面部にカム筒８のカム溝に挿入されるカムフォロワピンが形成されている。
第１レンズ群ガイド筒１１は、第１レンズ群筒１０の外径側でありかつ外側直進筒７の内径側に配置された直進筒であって、外側直進筒７に対して直進案内されるとともに、第１レンズ群筒１０を直進案内するものである。
第１レンズ群室１２は、その内径側に第１レンズ群Ｌ１が固定される円環状の部材であって、第１レンズ群筒１０に対してネジ結合によって固定されている。
【００１７】
第２レンズ群筒１３は、第２レンズ群Ｌ２が装着され、カム筒８の内径側に配置されるものであって、その外周面部にカム筒８のカム溝に挿入されるカムフォロワピンが形成されている。
第２レンズ群室１４は、その内径側に第２レンズ群Ｌ２が固定される円環状の部材であって、第２レンズ群筒１３に対してネジ結合によって固定されている。
【００１８】
第３レンズ群筒１５は、第３レンズ群Ｌ３を含むブレ補正機構部が装着されるものであって、カム筒８の内径側に配置され、その外周面部にカム筒８のカム溝に挿入されるカムフォロワピンが形成されている。
また、第３レンズ群筒１５は、その内径側に遮光板１５ａを備えている。遮光板１５ａは、振動枠１７とシャッタ絞りユニット２２との間に配置されたリングプレート状の遮光部を備え、第３レンズ群筒１５に対して固定されている。
上述した固定筒５、回転筒６、外側直進筒７、カム筒８、内側直進筒９、第１レンズ群筒１０、第１レンズ群ガイド筒１１、第１レンズ群室１２、第２レンズ群筒１３、第２レンズ群室１４、第３レンズ群筒１５共通の中心軸Ａ２は、通常撮影時において、光軸Ａ１よりも上側に配置され、これらの各筒体は、各レンズ群Ｌ１〜Ｌ４に対して偏心して配置されている。
ここで、本明細書において、通常撮影時とは、光軸Ａ１を水平として横長の画像を撮影する際のレンズ鏡筒１の姿勢を指すものとする。
【００１９】
固定枠１６は、第３レンズ群筒１５の光軸方向像側の端部に一体に形成された略平板状の部分であって、光軸Ａ１と直交する面内における移動が拘束されている。
振動枠１７は、固定枠１６の光軸方向対物側の面部に対向して配置され、固定枠１６に対して光軸Ａ１と直交する面内において移動（シフト）可能に支持されている。また、振動枠１７は、ブレ補正レンズ群室１９を回転可能に軸支する回転軸１７ａを備えている。回転軸１７ａは、図１（ｂ）、図２（ｂ）に示すように、通常撮影時における光軸Ａ１の斜め上側に配置され、その軸方向は光軸Ａ１と平行となっている。
図３に示すように、固定枠１６及び振動枠１７は、その間に転動体である鋼球Ｂを挟持した状態となっており、上述した移動時には、この鋼球Ｂが回転することによって振動枠１７を固定枠１６に対して案内するようになっている。
また、固定枠１６は、振動枠１７側に突き出して形成され、その先端部に鋼球Ｂが当接する平底の凹部が形成された鋼球受け部１６ａが設けられている。
【００２０】
ボイスコイルモータ（ＶＣＭ）１８は、固定枠１６に対して振動枠１７を光軸Ａ１と直交する面内で駆動するアクチュエータであって、図示しない角速度センサによって検出されるレンズ鏡筒１のブレ量に基づいて、公知のブレ補正制御によって駆動制御が行われるものである。ＶＣＭ１８は、図１（ｂ）、図２（ｂ）に示すように、通常撮影時における上下方向、左右方向の駆動を行うものがそれぞれ設けられ、これらはそれぞれ光軸Ａ１に対して下側及び側方に設けられている。
【００２１】
ブレ補正レンズ群室１９は、第３レンズ群Ｌ３が固定される円環状の枠体と、この枠体から外径側に突き出して形成されたアーム部とを備え、このアーム部の先端部が振動枠１７の回転軸１７ａによって軸支されている。ブレ補正レンズ群室１９は、その光軸Ａ１方向における位置が、振動枠１７よりも像側でありかつ固定枠１６よりも対物側となるように、これらの間に挟まれた状態で配置されている。
ブレ補正レンズ群室１９は、この回転軸１７ａ回りに回転することによって、ブレ補正レンズ群Ｌ３の光軸が他のレンズ群の光軸Ａ１と略一致した撮影状態と、光軸Ａ１上から退避した収納状態との間を移行するものである。
また、ブレ補正レンズ群室１９は、ブレ補正レンズ群室１９を撮影状態における位置側に付勢するバネ１９ａと、ＣＣＤ台４の駆動部４ａと当接する当接部１９ｂとを備えている。当接部１９ｂは、これに対して駆動部４ａが光軸方向に相対移動した際に、カム面部４ｂと摺動してカムフォロワとして機能し、ブレ補正レンズ群室１９を回転軸１７ａ回りに回転させるものである。
【００２２】
付勢バネ２０は、固定枠１６と振動枠１７との間にわたして設けられた引張コイルバネであって、固定枠１６及び振動枠１７に対してそれぞれ傾斜可能に装着され、この傾斜によって固定枠１６に対する振動枠１７の変位を吸収するようになっている。
図１（ｂ）及び図２（ｂ）に示すように、付勢バネ２０は、光軸Ａ１回りに周方向に離間して複数が配置され、例えば、実施例１の場合は、ＶＣＭ１８、及び、ブレ補正レンズ群Ｌ３の撮影状態における位置から収納状態における位置への移動経路上を避けて、２本が設けられている。
【００２３】
第４レンズ群室２１は、その内径側に第４レンズ群Ｌ４が固定される円環状の部材であって、図示しないフォーカシングモータによって光軸Ａ１方向に駆動される。
シャッタ絞りユニット２２は、第２レンズ群Ｌ２とブレ補正レンズ群Ｌ３との間に設けられ、露光時間を調整する図示しないシャッタ幕と、通過光量を調整する図示しない絞り部とを備えている。
【００２４】
次に、レンズ鏡筒１の撮影状態から沈胴状態への移行時の動作について説明する。
まず、回転筒６及びカム筒８は、図示しないアクチュエータによって、固定筒５に対して、中心軸Ａ２回りに回転駆動される。このとき、各カム機構部の機能によって、第１レンズ群筒１０、第２レンズ群筒１３、第３レンズ群筒１５は、それぞれ固定筒５に対して、光軸Ａ１方向像側に移動する。
また、第４レンズ群室２１は、図示しないフォーカシングモータによって駆動され、固定筒５に対して、光軸Ａ１方向像側に移動する。
【００２５】
ＣＣＤ台４の駆動部４ａは、第３レンズ群筒１５の上述した移動に伴い、ブレ補正レンズ群室１９に対して光軸Ａ１方向に相対移動し、そのカム面部４ｂがブレ補正レンズ群室１９の当接部１９ｂを押圧する。これによって、ブレ補正レンズ群室１９は、振動枠１７に対して回転軸１７ａ回りに回転し、光軸Ａ１上からその上方側へ退避する。
このとき、例えばカム面部４ｂと当接部１９ｂとの摺動状態等に起因して、駆動部４ａがブレ補正レンズ群室１９に負荷する光軸方向の力が付勢バネ２０の付勢力以上となった場合、付勢バネ２０が伸張することによって、振動枠１７は固定枠１６に対して光軸方向対物側へ変位し、鋼球Ｂを挟持している面の間隔は広がり、振動枠１７及び固定枠１６による鋼球Ｂの挟持は解除される。このときの変位量は、鋼球Ｂが固定枠１６の鋼球受け部１６ａから鋼球Ｂが脱落しない程度の微小な量となっている。そして、上述した光軸方向の力が再び付勢バネ２０の付勢力よりも小さくなると、振動枠１７は、付勢バネ２０の付勢力によって、固定枠１６側に引き戻され、鋼球Ｂはまた固定枠１６と振動枠１７とに挟持された状態となる。
【００２６】
以上のように、実施例１によれば、以下の効果を得ることができる。
（１）固定枠１６及び振動枠１７は、駆動部４ａからの入力に応じて鋼球Ｂを挟持する面間が離間する方向に変位可能に支持されるとともに、これらを鋼球Ｂが加圧される方向に付勢する付勢バネ２０を備えているから、駆動部４ａによって付勢バネ２０の付勢力よりも大きい光軸Ａ１方向の力が負荷された場合には、固定枠１６と振動枠１７とが相対変位し、鋼球Ｂの挟持を解除することによって、鋼球Ｂに過大な荷重が加わることを防止し、鋼球Ｂによる打痕が固定枠１６、振動枠１７の転動面上に形成されることを防止できる。
（２）ブレ補正レンズ群室１９を振動枠１７に対して光軸Ａ１方向像側に配置することによって、ブレ補正レンズ群室１９が退避して形成される空間部内に、第４レンズ群室２１等を収容する際に、第４レンズ群室２１等と振動枠１７とが干渉しにくくなり、沈胴量を大きくしてレンズ鏡筒１をよりコンパクトに収納することができる。
【実施例２】
【００２７】
次に、本発明を適用したレンズ鏡筒の実施例２について説明する。以下、上述した実施例１と同様の箇所については同じ符号を付して説明を省略し、主に相違点について説明する。
図４は、実施例２のレンズ鏡筒の断面図である。
実施例２のレンズ鏡筒１ａは、実施例１のレンズ鏡筒１における遮光板１５ａ及び付勢バネ２０に代えて遮光板１５ｂ及び付勢バネ２０ａを設けるとともに、遮光板１５ｂと振動枠１７との間にも鋼球Ｂを挟持したものである。
【００２８】
遮光板１５ｂは、第３レンズ群筒１５に対して光軸Ａ１方向に相対変位可能とされている点で実施例１の遮光板１５ａと相違する。
遮光板１５ｂは、振動枠１７の対向する面との間で鋼球Ｂを挟持し、この鋼球Ｂが転動することによって、振動枠１７は、遮光板１５ｂに対して光軸Ａ１と直交する面内でシフト変位が可能となっている。
付勢バネ２０ａは、各筒体の中心軸Ａ２と略同心の圧縮コイルバネであって、その内径側にシャッタ絞りユニット２２が挿入されるものである。付勢バネ２０ａは、その光軸Ａ１方向対物側の端部が第３レンズ群筒１５の内径側に突き出して配置されたカムフォロワピンの延長部１５ｃに当接し、光軸Ａ１方向像側の端部が遮光板１５ｂの光軸Ａ１方向対物側の面部に当接している。これによって、遮光板１５ｂは、付勢バネ２０の加圧力を振動枠１７に伝達する加圧力伝達部材として機能する。
以上説明した実施例２においても、駆動部４ａがブレ補正レンズ群室１９に負荷する光軸Ａ１方向の力が大きくなった際に、付勢バネ２０ａが圧縮され変形して振動枠１７と固定枠１６とが離間することによって、上述した実施例１と同様の効果を得ることができる。
【００２９】
（変形例）
本発明は、以上説明した実施例に限定されることなく、種々の変形や変更が可能であって、それらも本発明の均等の範囲内である。
（１）振動部を固定部に対して光軸方向に相対変位可能に支持する支持方法や、付勢部の構成、配置等は、上述した各実施例に限らず、適宜変更することができる。
（２）各実施例は、駆動部をブレ補正光学系保持部に対して光軸方向像側に配置しているが、これに限らず、対物側に配置してもよい。この場合、振動部が固定部に対して相対変位する方向が逆となるようにする。
（３）各実施例は、例えば、４群構成の多群ズームレンズであったが、本発明はこれに限らず、レンズの群構成等は適宜変更することができる。
【図面の簡単な説明】
【００３０】
【図１】本発明を適用したレンズ鏡筒の実施例１の撮影状態を示す断面図である。
【図２】図１のレンズ鏡筒の収納状態を示す断面図である。
【図３】図１のIII−III部矢視断面図である。
【図４】本発明を適用したレンズ鏡筒の実施例２の撮影状態を示す断面図である。
【符号の説明】
【００３１】
Ｌ３：ブレ補正レンズ群、４ａ：駆動部、１６：固定枠、１７：振動枠、１７ａ：回転軸、１９：ブレ補正レンズ群室、２０：付勢バネ
【図１】
2007163961.tif 000003
【図２】
2007163961.tif 000004
【図３】
2007163961.tif 000005
【図４】
2007163961.tif 000006